【事件の表示】
　特許第３４１２５２３号「収納ケース付アイロン装置」の請求項１ないし３に係る特許に対する特許異議の申立てについて、次のとおり決定する。
【結　論】
　訂正を認める。
　特許第３４１２５２３号の請求項１ないし３に係る特許を取り消す。
【理　由】
１．手続の経緯
　特許第３４１２５２３号（請求項の数３）に係る発明についての出願は、平成１０年７月２８日に特許出願され、平成１５年３月２８日にその発明について特許権の設定登録がなされ、その後、全請求項に係る特許について、申立人・東芝ホームテクノ株式会社より特許異議の申立てがなされ、平成１６年１１月９日付けで取消しの理由が通知され、その指定期間内である平成１７年１月１８日に訂正請求がなされたものである。
　
２．訂正の適否についての判断
（１）訂正の内容
　訂正事項ａは、特許請求の範囲の請求項１を以下のとおり訂正するものである。
「【請求項１】　後部に給電部を設けたアイロン本体と、前記アイロン本体をかけ面を下向きにして載置する載置部及び前記載置部に載置した前記アイロン本体の給電部と接続する電極を有する載置台と、下方に開口を有し、前記アイロン本体の全体を上方から包囲し、かつ、前記載置台で前記開口が閉じられることによって前記アイロン本体を収納する収納ケースとを具備し、
前記収納ケースを取り外すことで前記アイロン本体を即座に使用できる状態になるよう構成したアイロン装置とし、かつ、
　
　訂正事項ｂは、明細書の段落【０００８】、【０００９】、【００１０】、【００１１】及び【００３１】を以下のとおり訂正するものである。
【０００８】
「本発明は上記従来の課題を解決するもので、収納ケースを覆い被せた収納状態でアイロン本体の方向が判り、間違えずに使用状態の方向に置くことができるようにし、アイロン装置を置き直す手間をなくし
、収納ケースを取り外せば即座に使用できるようにし
【０００９】
「【課題を解決するための手段】
本発明は上記の目的を達成するために、後部に給電部を設けたアイロン本体と、前記アイロン本体をかけ面を下向きにして載置する載置部及び前記載置部に載置した前記アイロン本体の給電部と接続する電極を有する載置台と、下方に開口を有し、前記アイロン本体の全体を上方から包囲し、かつ、前記載置台で前記開口が閉じられることによって前記アイロン本体を収納する収納ケースとを具備し、
前記収納ケースを取り外すことで前記アイロン本体を即座に使用できる状態になるよう構成したアイロン装置とし、かつ、
【００１０】
「これにより、収納ケースを覆い被せた収納状態でアイロン本体の方向が判り、間違えずに使用状態の方向に置くことができ、アイロン装置を置き直す手間をなくし
、収納ケースを取り外せば即座に使用できるようにし
【００１１】
「【発明の実施の形態】
　本発明の請求項１に記載の発明は、後部に給電部を設けたアイロン本体と、前記アイロン本体をかけ面を下向きにして載置する載置部及び前記載置部に載置した前記アイロン本体の給電部と接続する電極を有する載置台と、下方に開口を有し、前記アイロン本体の全体を上方から包囲し、かつ、前記載置台で前記開口が閉じられることによって前記アイロン本体を収納する収納ケースとを具備し、
前記収納ケースを取り外すことで前記アイロン本体を即座に使用できる状態になるよう構成したアイロン装置とし、かつ、
、即座に使用できるようにし
【００３１】
「【発明の効果】
　以上のように本発明の請求項１に記載の発明によれば、後部に給電部を設けたアイロン本体と、前記アイロン本体をかけ面を下向きにして載置する載置部及び前記載置部に載置した前記アイロン本体の給電部と接続する電極を有する載置台と、下方に開口を有し、前記アイロン本体の全体を上方から包囲し、かつ、前記載置台で前記開口が閉じられることによって前記アイロン本体を収納する収納ケースとを具備し、
前記収納ケースを取り外すことで前記アイロン本体を即座に使用できる状態になるよう構成したアイロン装置とし、かつ、
して即座に使用
　
（２）訂正の目的の適否、新規事項の有無及び拡張・変更の存否
　上記訂正事項ａは、明細書の段落【００１９】の「収納ケース６は、アイロン本体４を上方から包囲して覆っているので、収納ケース６を取り外すことで、アイロン本体４を即座に使用できる状態にすることができる。」との記載に基づいて、アイロン装置の態様を限定するものであるから、特許請求の範囲の減縮を目的とした明細書の訂正に該当し、新規事項の追加に該当せず、実質上特許請求の範囲を拡張し、又は変更するものでもない。
　
　また、上記訂正事項ｂは、訂正事項ａに基づいて、明細書全体の整合を図るものであるから、明りょうでない記載の釈明を目的とした明細書の訂正に該当し、新規事項の追加に該当せず、実質上特許請求の範囲を拡張し、又は変更するものでもない。
　
（３）むすび
　以上のとおりであるから、本件訂正は、特許法第１２０条の４第２項並びに第３項において準用する同法第１２６条第２項及び第３項の規定に適合するので、当該訂正を認める。
　
３．取消理由ついての判断
（１）本件発明
　上記２．で示したように本件訂正が認められるから、本件の請求項１ないし３に係る発明（以下、「本件発明１ないし３」という。）は、本件訂正に係る訂正明細書の特許請求の範囲の請求項１ないし３に記載された事項により特定される次のとおりのものである。
「【請求項１】　後部に給電部を設けたアイロン本体と、前記アイロン本体をかけ面を下向きにして載置する載置部及び前記載置部に載置した前記アイロン本体の給電部と接続する電極を有する載置台と、下方に開口を有し、前記アイロン本体の全体を上方から包囲し、かつ、前記載置台で前記開口が閉じられることによって前記アイロン本体を収納する収納ケースとを具備し、前記収納ケースを取り外すことで前記アイロン本体を即座に使用できる状態になるよう構成したアイロン装置とし、かつ、前記収納ケースは、前記載置部に載置された前記アイロン本体を外部から視認可能な透明又は半透明な部材で形成した収納ケース付アイロン装置。
【請求項２】　収納ケースは、収納されたアイロン本体の載置方向が視認できるように、少なくとも一部を透明又は半透明にして不透明処理をした請求項１記載の収納ケース付アイロン装置。
【請求項３】　収納ケースは、載置台に着脱自在に結合するロック装置と、持ち運び用のハンドルとを具備し、前記ロック装置とハンドルの少なくともいずれか一方の取付箇所を含む部位又は範囲を不透明にした請求項１または２に記載の収納ケース付アイロン装置。」
　
（２）引用刊行物に記載された発明
ア．当審が通知した取消しの理由で引用した特開平９−２４２００号公報（異議申立人の提出した甲第１号証、以下「刊行物１」という。）には、コードレスアイロンに関して、図１〜図３と共に以下の事項が記載されている。
ａ．「ヒータによって加熱されるベースを有し、かつ、後部に前記ヒータの回路に接続された給電端子を配設したアイロン本体と、このアイロン本体を載置する載置部を有するとともに、前記給電端子と接続される電極を有するスタンドと、前記電極に接続してスタンドから導出する電源コードとを備え、前記スタンドの裏面を形成する裏蓋の底部外郭面に開口部を設けるとともに、この開口部を前記電源コードと電極を電気的に接続するターミナル部を設けた保持板により閉塞したコードレスアイロン。」（【請求項１】）
ｂ．「ヒータによって加熱されるベースを有し、かつ、後部に前記ヒータの回路に接続された給電端子を配設したアイロン本体と、このアイロン本体を載置する載置部を有するとともに、前記給電端子と接続される電極を有するスタンドと、前記電極に接続してスタンドから導出する電源コードと、前記載置部に載置したアイロン本体を上方から覆うケースと、このケースと前記スタンドを着脱自在に結合するロック装置とを備え、前記ケースの側壁に、前記スタンドに設けた電源コードの導出部に対向して切り欠き部を設けたコードレスアイロン。」（【請求項３】）
ｃ．「ローラ１１ａ，１１ｂは、スタンド６のアイロン本体４を載置する載置部１２に回動自在に取り付け、アイロン本体４のベース１のかけ面を支持するための受け部として構成されている。」（段落【０００４】）
ｄ．「また、ケース２１は、アイロン本体４を収納する際に上方へ覆接させ、ハンドル２２を設けている。２３はスタンドの裏面外郭を形成する裏蓋である。」（段落【０００５】）
ｅ．図１には、載置台の載置部に、アイロン本体をかけ面を下向きにして載置することが示されている。
ｆ．図１及び図２には、ケース３２は下方に開口を有し、かつ、スタンドの裏蓋２３で開口が閉じられることによってアイロン本体を収納することが示されている。
　上記記載事項及び図示内容を総合すると、刊行物１には、以下の発明（以下、「引用発明１」という。）が記載されているものと認められる。
「後部に給電端子を配設したアイロン本体と、前記アイロン本体をかけ面を下向きにして載置する載置部及び給電端子と接続する電極を有するスタンドと、下方に開口を有し、アイロン本体を上方から覆い、かつ、スタンドの裏蓋で開口が閉じられることによってアイロン本体を収納するケースとを具備し、ケースは、スタンドを着脱自在に結合するロック装置と、ハンドルとを具備しているコードレスアイロン。」
　
イ．同じく当審が通知した取消しの理由で引用した意匠登録第７９１５９４号公報（異議申立人の提出した甲第２号証、以下「刊行物２」という。）には、アイロン用ケースに関して、図面代用写真と共に以下の事項が記載されている。
ａ．「本物品の蓋は取手部を除いて透明である。」（「説明」の欄）
ｂ．「使用状態を示す参考図」には、載置部にはアイロン本体をかけ面を下向きにして載置すること及び蓋をかぶせた状態でも載置部に載置したアイロン本体を外部から視認可能なことが示されている。
　上記記載事項及び図示内容を総合すると、刊行物２には、以下の発明（以下、「引用発明２」という。）が記載されているものと認められる。
「取手部を除いて、載置部にかけ面を下向きにして載置されたアイロン本体を外部から視認可能な透明な部材で形成した蓋を備えるアイロン用ケース。」　
　
（３）対比・判断
ア．本件発明１について
　本件発明１と引用発明１とを対比すると、後者における「給電端子」は、その作用・機能からみて前者における「給電部」に相当し、以下同様に、「スタンド」は「載置台」に、「アイロン本体を上方から覆い」は「アイロン本体の全体を上方から包囲し」に、「ケース」は「収納ケース」に、そして「コードレスアイロン」は「収納ケース付アイロン装置」に相当すると認められる。
　してみれば、両者は、
「後部に給電部を設けたアイロン本体と、前記アイロン本体をかけ面を下向きにして載置する載置部及び前記載置部に載置した前記アイロン本体の給電部と接続する電極を有する載置台と、下方に開口を有し、前記アイロン本体の全体を上方から包囲し、かつ、前記載置台で前記開口が閉じられることによって前記アイロン本体を収納する収納ケースとを具備する収納ケース付アイロン装置。」
である点で一致し、次の点で相違する。
相違点１：本件発明１は、収納ケースを載置部に載置されたアイロン本体を外部から視認可能な透明又は半透明な部材で形成しているのに対して、引用発明１は、そのような構成となっているかどうか明らかでない点
相違点２：本件発明１は、収納ケースを取り外すことでアイロン本体を即座に使用できる状態になるよう構成したアイロン装置としているのに対して、引用発明１は、そのような構成となっているかどうか明らかでない点
　
　相違点１について検討するに、引用発明２における「蓋」は、本件発明１における「収納ケース」に相当するから、収納ケースを、載置部に載置されたアイロン本体を外部から視認可能な透明な部材で形成することは、引用発明２が有する構成である。
　そして、引用発明１と引用発明２とは、どちらも、収納ケース付アイロン装置に関するものであるから、引用発明２の上記構成を引用発明１に適用して、相違点１に係る本件発明１の構成を引用発明１に採用することに格別の困難性はない。
　
　相違点２について検討するに、本件発明１でいうところの「即座に使用できる状態」とは、「アイロン装置を置き直す手間なく使用できる方向に置くこと」を意味すると解されるところ、そのような意味においては、引用発明２も、収納ケースを取り外すことでアイロン本体を即座に使用できる状態になるという構成を有することは明らかである。
　そして、引用発明１と引用発明２とは、どちらも、収納ケース付アイロン装置に関するものであるから、引用発明２の上記構成を引用発明１に適用して、相違点２に係る本件発明１の構成を引用発明１に採用することに格別の困難性はない。
　
　この点について、請求人は、平成１７年１月１８日付けの意見書の第３頁第２０行〜第４頁第９行において、刊行物２には、アイロン用ケースから出したコードがアイロンに給電するためのものであるということは記載されておらず、また、アイロンに給電するためのアイロン用ケースとアイロンとの相互関係及び具体的構成に関しても、記載されていない、また、アイロン用ケースの下側部材がアイロンに給電を行うアイロン装置としての重要部分として機能させるよう構成し、蓋を取り外せば即座にアイロン装置として使用できるようにしたという、アイロンとしての使用状態に関しては、記載されていない旨主張している。
　しかし、アイロン用ケースとアイロンの相互関係及び具体的構成が記載されていないとしても、引用発明２は、アイロン用ケースの下側部材がコードを備えていること等から、蓋を取り外すことでアイロン本体を即座に使用できるものであることは当業者にとって明らかであり、上記請求人の主張は失当である。
　
　そして、本件発明１により奏される効果も、引用発明１及び引用発明２から当業者が予測し得るものである。
　したがって、本件発明１は、引用発明１及び引用発明２に基づいて当業者が容易に発明をすることができたものである。
　
イ．本件発明２について
　本件発明２は、本件発明１に、「収納ケースは、収納されたアイロン本体の載置方向が視認できるように、少なくとも一部を透明又は半透明にして不透明処理をした」ことを、さらに限定するものである。
　しかしながら、引用発明２においては、少なくとも一部を透明にすることにより、収納されたアイロン本体の載置方向が視認できることは、明らかである。さらに、一部の透明部分を除いて不透明処理をする点については、当業者が見栄えを考慮して適宜なし得ることであり、本件発明２の進歩性の根拠となる技術的特徴とは言えない。
　
　そして、本件発明２により奏される効果も、引用発明１及び引用発明２から当業者が予測し得るものである。
　したがって、本件発明２は、引用発明１及び引用発明２に基づいて当業者が容易に発明をすることができたものである。
　
ウ．本件発明３について
　本件発明３は、本件発明１又は本件発明２に、「収納ケースは、載置台に着脱自在に結合するロック装置と、持ち運び用のハンドルとを具備し、前記ロック装置とハンドルの少なくともいずれか一方の取付箇所を含む部位又は範囲を不透明にした」ことを、さらに限定するものである。
　しかしながら、引用発明１における「ハンドル」が持ち運び用のものであることは明らかであるから、収納ケースが、載置台に着脱自在に結合するロック装置と、持ち運び用のハンドルを具備する点は、引用発明１が有する構成である。また、ハンドルを不透明にしたことは引用発明２が有する構成である。どの範囲まで不透明にするかは、当業者が見栄えを考慮して適宜決定し得ることであり、ロック装置とハンドルの少なくともいずれか一方の取付箇所を含む部位又は範囲を不透明にした点は、本件発明３の進歩性の根拠となる技術的特徴とは言えない。
　
　そして、本件発明３により奏される効果も、引用発明１及び引用発明２から当業者が予測し得るものである。
　したがって、本件発明３は、引用発明１及び引用発明２に基づいて当業者が容易に発明をすることができたものである。
　
（４）むすび
　以上のとおりであるから、本件発明１ないし３は、特許法第２９条第２項の規定により特許を受けることができない。
　したがって、本件発明１ないし３についての特許は、特許法第１１３条第２号に該当し、取り消されるべきものである。
　よって、結論のとおり決定する。
【異議決定日】
平成１７年２月１６日（２００５．２．１６）
【訂正の要旨】
審決（決定）の【理由】欄参照。
（５４）【発明の名称】
収納ケース付アイロン装置
（５７）【特許請求の範囲】
　【請求項１】　後部に給電部を設けたアイロン本体と、前記アイロン本体をかけ面を下向きにして載置する載置部及び前記載置部に載置した前記アイロン本体の給電部と接続する電極を有する載置台と、下方に開口を有し、前記アイロン本体の全体を上方から包囲し、かつ、前記載置台で前記開口が閉じられることによって前記アイロン本体を収納する収納ケースとを具備し、
前記収納ケースを取り外すことで前記アイロン本体を即座に使用できる状態になるよう構成したアイロン装置とし、かつ、
　【請求項２】　収納ケースは、収納されたアイロン本体の載置方向が視認できるように、少なくとも一部を透明又は半透明にして不透明処理をした請求項１記載の収納ケース付アイロン装置。
　【請求項３】　収納ケースは、載置台に着脱自在に結合するロック装置と、持ち運び用のハンドルとを具備し、前記ロック装置とハンドルの少なくともいずれか一方の取付箇所を含む部位又は範囲を不透明にした請求項１または２に記載の収納ケース付アイロン装置。
【発明の詳細な説明】
　【０００１】
　【発明の属する技術分野】
　本発明は、載置台に載置したアイロン本体を収納ケースにより包囲して収納可能とした収納ケース付アイロン装置に関するものである。
　【０００２】
　【従来の技術】
　従来、この種のアイロンは、図５に示すように構成していた。以下、その構成について説明する。
　【０００３】
　図に示すように、アイロン本体１は、載置台２にかけ面を下向きにして載置し、下方を開口した収納ケース３をアイロン本体１の上方から包囲して収納し、この収納ケース３は、載置台２と同系色の不透明な部材で形成し、載置台２に載置したアイロン本体１が外部から見えないようにして収納していた。
　【０００４】
　【発明が解決しようとする課題】
　しかしながら、このような従来の構成では、アイロンがけをしようとする場合に、アイロン装置をテーブルの上などに置いて、収納ケース３を取り外してアイロンがけの準備をする際に、収納ケース３が不透明な部材で形成されているアイロン装置を置くとき、不透明な収納ケース３で覆われているアイロン本体１がどの方向を向いているか判らず、収納ケース３を取り外して初めてアイロン本体１の向きが判る。
　【０００５】
　したがって、アイロン本体１の前部が手前側になって置かれると、使用状態とは逆の方向であるため、アイロン本体１の後部が手前側になるように、アイロン本体１の方向を変えて置き直さなければならないという問題があった。これは、アイロンがけ作業中は頻繁にアイロン本体１を載置台２に載置する動作を繰り返すものであることから、作業者がアイロン本体１の載置と取り外しを合理的に行うために重要である。
　【０００６】
　しかしながら、アイロン本体１の方向が適切でないことが判るのは、収納ケース３が取り外された後であるため、一旦、収納ケース３を装着しハンドル３ａを持って置き直してから、再びロック装置３ｂを解除して収納ケース３を取り外すという無駄な動作を行う必要が生じる。
　【０００７】
　このような手間を省く方法として、載置台２に載置したアイロン本体１を収納ケース３で包囲せずに、アイロン本体１の向きを載置台２とともに１８０度回転させることであるが、アイロン本体１が載置台２から脱落する恐れもあって操作性が悪いものである。
　【０００８】
　本発明は上記従来の課題を解決するもので、収納ケースを覆い被せた収納状態でアイロン本体の方向が判り、間違えずに使用状態の方向に置くことができるようにし、アイロン装置を置き直す手間をなくし
、収納ケースを取り外せば即座に使用できるようにし
　【０００９】
　【課題を解決するための手段】
　本発明は上記の目的を達成するために、後部に給電部を設けたアイロン本体と、前記アイロン本体をかけ面を下向きにして載置する載置部及び前記載置部に載置した前記アイロン本体の給電部と接続する電極を有する載置台と、下方に開口を有し、前記アイロン本体の全体を上方から包囲し、かつ、前記載置台で前記開口が閉じられることによって前記アイロン本体を収納する収納ケースとを具備し、
前記収納ケースを取り外すことで前記アイロン本体を即座に使用できる状態になるよう構成したアイロン装置とし、かつ、
　【００１０】
　これにより、収納ケースを覆い被せた収納状態でアイロン本体の方向が判り、間違えずに使用状態の方向に置くことができ、アイロン装置を置き直す手間をなくし
、収納ケースを取り外せば即座に使用できるようにし
　【００１１】
　【発明の実施の形態】
　本発明の請求項１に記載の発明は、後部に給電部を設けたアイロン本体と、前記アイロン本体をかけ面を下向きにして載置する載置部及び前記載置部に載置した前記アイロン本体の給電部と接続する電極を有する載置台と、下方に開口を有し、前記アイロン本体の全体を上方から包囲し、かつ、前記載置台で前記開口が閉じられることによって前記アイロン本体を収納する収納ケースとを具備し、
前記収納ケースを取り外すことで前記アイロン本体を即座に使用できる状態になるよう構成したアイロン装置とし、かつ、
、即座に使用できるようにし
　【００１２】
　請求項２に記載の発明は、上記請求項１に記載の発明において、収納ケースは、収納されたアイロン本体の載置方向が視認できるように、少なくとも一部を透明又は半透明にして不透明処理をしたものであり、収納ケースを透明又は半透明な部材で形成し、不透明の部位にシボ加工や塗装などの不透明処理を施すことにより、アイロン本体の載置方向が視認できる収納ケースを容易に、かつ安価に形成することができる。
　【００１３】
　請求項３に記載の発明は、上記請求項１または２に記載の発明において、収納ケースは、載置台に着脱自在に結合するロック装置と、持ち運び用のハンドルとを具備し、前記ロック装置とハンドルの少なくともいずれか一方の取付箇所を含む部位又は範囲を不透明にしたものであり、ロック装置の構成部品やハンドルの取付箇所の構成部品等が見えないようにでき、アイロン本体の収納状態での見栄えを一層よくすることができる。
　【００１４】
　【実施例】
　以下、本発明の実施例について、図面を参照しながら説明する。
　【００１５】
　（実施例１）
　図１に示すように、アイロン本体４は、載置台５上にベース４ａのかけ面を下向きにして前上がりに傾斜させて載置している。収納ケース６は、アイロン本体４の全体を上方から包囲して覆うもので、その下方開口部が載置台５の外周と嵌合し、天面には運搬用のハンドル７を回転自在に設けている。この収納ケース６の下方開口部近傍には、収納ケース６と載置台５とを着脱自在に結合するロック装置８を設けている。この収納ケース６は、内部の状態が視認可能な透明または半透明の熱可塑性樹脂等の部材で形成している。
　【００１６】
　上記構成において作用を説明する。使用者がアイロンがけ作業をしようとする場合、アイロン本体４を載置台５上にベース４ａのかけ面を下向きにして載置し、収納ケース６をアイロン本体４を上方から包囲して覆って載置台５に装着した収納状態のアイロン装置をテーブルの上などに置いて、収納ケース６のロック装置８を解除して収納ケース６を取り外し、アイロン本体４を使用できる状態にする。
　【００１７】
　ここで、収納ケース６を透明または半透明な部材で形成しているため、収納状態つまり収納ケース６でアイロン本体１を覆っている状態であっても、アイロン本体４がどの方向を向いて収納されているかを視認することができ、アイロン装置をテーブルの上に置く際に、実際に使用する方向にアイロン装置を置くことが可能となる。
　【００１８】
　したがって、収納ケース６を取り外したとき、アイロン本体４の方向が間違っているということがなくなり、アイロン装置を置き直す手間をなくすることができ、使い勝手を向上することができる。
　【００１９】
　また、アイロン本体４は、載置台５にかけ面を下向きにして載置し、収納ケース６は、アイロン本体４を上方から包囲して覆っているので、収納ケース６を取り外すことで、アイロン本体４を即座に使用できる状態にすることができる。
　【００２０】
　（実施例２）
　図２に示すように、収納ケース９は、アイロン本体４の全体を上方から包囲して覆うもので、その下方開口部が載置台５の外周と嵌合し、天面には運搬用のハンドル１０を回転自在に設けている。この収納ケース９の下方開口部近傍には、収納ケース９と載置台５とを着脱自在に結合するロック装置１１を設けている。収納ケース９は、ロック装置１１の取付箇所を含む部位を不透明な部材で形成し、その他の部位を透明又は半透明な熱可塑性樹脂等の部材で形成し、収納されているアイロン本体４の載置方向が外部から視認可能にしている。他の構成は上記実施例１と同じである。
　【００２１】
　上記構成において作用を説明する。アイロンがけ作業をする場合に、上記実施例１と同様に、収納状態のままアイロン装置をテーブル等の上に置くとき、収納ケース９は、ロック装置１１の取付箇所を除く部位を透明又は半透明な部材で形成しているので、アイロン本体４の載置方向が視認可能で、使用する方向にアイロン装置を履くことができ、収納ケース９を取り外した際にアイロン本体４の方向が違っていることがなくなる。
　【００２２】
　また、収納ケース９は、ロック装置１１の取付箇所を含む部位以外を部分的に透明または半透明な部材で形成しているため、様々なデザイン的処理が可能となり、また、ロック装置１１の取付箇所を含む部位を不透明な部材で形成し、ロック装置１１の構成部品が見えないため、アイロン本体４を収納状態での見栄えがよくなる。また、収納状態にあっても常にアイロン本体４を視認できるために、アイロン本体４が載置してあることを確認でき、収納し忘れを防止できる。
　【００２３】
　なお、本実施例では、ロック装置１１の取付箇所を含む部位を不透明な部材で形成し、その他の部位を透明又は半透明な部材で形成しているが、収納ケース９全体を透明又は半透明な部材で形成し、ロック装置１１の取付箇所に例えばシボ加工や塗装などの不透明処理を施すことにより、不透明の部位を形成してもよい。この場合は、アイロン本体の載置方向が視認できる収納ケースを容易に、かつ安価に形成することができる。
　【００２４】
　また、本実施例では、収納ケース９は、ロック装置１１の取付箇所を含む部位を不透明な部材で形成しているが、ハンドル１０の取付箇所を含む部位を不透明な部材で形成してもよく、また、図３に示すように、収納ケース１２に設けたロック装置１１とハンドル１０の取付箇所を含む部位を不透明な部材で形成してもよい。この場合、透明部分と不透明部分は２種類の熱可塑性樹脂で２色成形法を用いて形成することができるとともに、例えばシボ加工や塗装などの不透明処理を施すことによって任意の部分を不透明に形成することも可能である。
　【００２５】
　この場合は、ロック装置１１の構成部品とハンドル１０の取付箇所の構成部品が見えないようにでき、アイロン本体４の収納状態での見栄えを一層よくすることができる。
　【００２６】
　（実施例３）
　図４に示すように、アイロン本体１３は、ベース１４を加熱するヒータ１５に接続された給電部１６を後部に設けている。載置台１７は、アイロン本体１３を載置する載置部１８を有し、アイロン本体１３の後部に設けた給電部１６に対向して、アイロン本体１３を載置台１７上に載置したときに接続される電極１９を有している。
　【００２７】
　載置台１７には、アイロン本体１３を載置部１８にベース１４のかけ面を下向きにして前上がりに傾斜させて載置し、このアイロン本体１３を包囲し、かつ、載置台１７で下方開口が閉じられる収納ケース（図示せず）によりアイロン本体１３を上方から包囲して覆うようにしている。この収納ケースは、内部の状態が視認可能な透明または半透明の部材で形成している。他の構成は上記実施例１または２と同じである。
　【００２８】
　上記構成において作用を説明する。使用者がアイロンがけ作業をしようとする場合、収納状態のアイロン装置をテーブルの上などに置いて、収納ケースのロック装置を解除して収納ケースを取り外し、アイロン本体１３を使用できる状態にする。
　【００２９】
　ここで、収納ケースが内部の状態が視認可能な透明または半透明な熱可塑性樹脂等の部材で形成されているために、収納状態つまり収納ケースでアイロン本体１３を覆っている状態であっても、アイロン本体１３がどの方向を向いて収納されているかを視認することができ、アイロン装置をテーブルの上に置く際に、アイロン本体１３の給電部１６が手前になるよう、使い勝手よく使用できる方向にアイロン装置を置くことができる。
　【００３０】
　したがって、載置台１７に設けた電極１９にアイロン本体１３の後部に設けた給電部１６が接続されるように、アイロン本体１３の後部が手前に位置するように設置することができ、収納ケースを取り外したときの置き直しの手間をなくして、使い勝手を向上することができる。
　【００３１】
　【発明の効果】
　以上のように本発明の請求項１に記載の発明によれば、後部に給電部を設けたアイロン本体と、前記アイロン本体をかけ面を下向きにして載置する載置部及び前記載置部に載置した前記アイロン本体の給電部と接続する電極を有する載置台と、下方に開口を有し、前記アイロン本体の全体を上方から包囲し、かつ、前記載置台で前記開口が閉じられることによって前記アイロン本体を収納する収納ケースとを具備し、
前記収納ケースを取り外すことで前記アイロン本体を即座に使用できる状態になるよう構成したアイロン装置とし、かつ、
して即座に使用
　【００３２】
　また、請求項２に記載の発明によれば、収納ケースは、収納されたアイロン本体の載置方向が視認できるように、少なくとも一部を透明又は半透明にして不透明処理をしたから、収納ケースを透明又は半透明な部材で形成し、不透明の部位にシボ加工又は塗装などの不透明処理を施すことにより、アイロン本体の載置方向が視認できる収納ケースを容易に、かつ安価に形成することができる。
　【００３３】
　また、請求項３に記載の発明によれば、収納ケースは、載置台に着脱自在に結合するロック装置と、持ち運び用のハンドルとを具備し、前記ロック装置とハンドルの少なくともいずれか一方の取付箇所を含む部位又は範囲を不透明にしたから、ロック装置の構成部品やハンドルの取付箇所の構成部品等が見えないようにでき、アイロン本体の収納状態での見栄えを一層よくすることができる。
【図面の簡単な説明】
　【図１】
　本発明の第１の実施例の収納ケース付アイロン装置の側面図
　【図２】
　本発明の第２の実施例の収納ケース付アイロン装置の側面図
　【図３】
　同収納ケース付アイロン装置の他の例の側面図
　【図４】
　本発明の第３の実施例の収納ケース付アイロン装置の収納ケースを取り外した状態の一部切欠した側面図
　【図５】
　従来の収納ケース付アイロン装置の分解斜視図
　【符号の説明】
　４　アイロン本体
　５　載置台
　６　収納ケース